(57)【要約】【課題】ＭＦＢＩ機能に対応しているネットワークにおいて適切にハンドオーバを行う。【解決手段】本発明に係るハンドオーバ方法は、無線基地局ｅＮＢ＃Ａが、無線基地局ｅＮＢ＃Ｂ配下のセルによってサポートされているバンドの中から、移動局ＵＥが「ＲＲＣ_ＩＤＬＥ状態」時に選択する優先度が最も高いバンドを選択し、無線基地局ｅＮＢ＃Ｂに対して、選択したバンド内の「ＤＬ  ＥＡＲＦＣＮ」を用いて生成したＫｅＮＢ＊を含む「ＨＯ  Ｒｅｑｕｅｓｔ」を送信する工程と、無線基地局ｅＮＢ＃Ｂが、無線基地局ｅＮＢ＃Ｂ配下のセルによってサポートされているバンドの中から、移動局ＵＥが「ＲＲＣ_ＩＤＬＥ状態」時に選択する優先度が最も高いバンドを選択し、選択したバンド内の「ＤＬ  ＥＡＲＦＣＮ」を含む「Ｈａｎｄｏｖｅｒ  Ｃｏｍｍａｎｄ」を送信する工程とを有する。【選択図】図４
2014220766.tif 000002
【特許請求の範囲】
【請求項１】
移動局が、マルチ周波数バンドインディケータ機能に対応する第１無線基地局配下のセルから、該マルチ周波数バンドインディケータ機能に対応する第２無線基地局配下のセルにハンドオーバするハンドオーバ方法であって、
前記第１無線基地局が、前記移動局が前記マルチ周波数バンドインディケータ機能に対応していると判定した場合に、前記第２無線基地局配下のセルによってサポートされているバンドの中から、該移動局がアイドル状態時に選択する優先度が最も高いバンドを選択し、該第２無線基地局に対して、選択した該バンドの下り中心周波数の識別情報を用いて生成した無線基地局鍵を含むハンドオーバ要求信号を送信する工程Ａと、
前記第２無線基地局が、前記移動局が前記マルチ周波数バンドインディケータに対応していると判定した場合に、該第２無線基地局配下のセルによってサポートされているバンドの中から、該移動局がアイドル状態時に選択する優先度が最も高いバンドを選択し、前記第１無線基地局に対して、選択した該バンド内の下り中心周波数の識別情報を含むハンドオーバ指示信号を含むハンドオーバ要求応答信号を送信する工程Ｂと、
前記第１無線基地局が、前記移動局に対して、前記ハンドオーバ指示信号を送信する工程Ｃとを有し、
前記マルチ周波数バンドインディケータ機能は、対象セルによってサポートされている既存バンド及び新規バンドがオーバーラップしている場合に、該対象セルにおける報知情報によって該既存バンド及び該新規バンドを通知する機能であることを特徴とするハンドオーバ方法。
【請求項２】
前記第１無線基地局は、前記移動局から取得した能力情報に基づいて、該移動局が前記マルチ周波数バンドインディケータ機能に対応しているか否かについて判定することを特徴とする請求項１に記載のハンドオーバ方法。
【請求項３】
前記第２無線基地局は、前記第１無線基地局から取得した能力情報に基づいて、該移動局が前記マルチ周波数バンドインディケータ機能に対応しているか否かについて判定することを特徴とする請求項１又は２に記載のハンドオーバ方法。
【請求項４】
前記報知情報は、前記新規バンドを通知するリストを含んでおり、
前記工程Ａ及び前記工程Ｂにおいて、前記移動局が、前記第２無線基地局配下のセルによってサポートされているバンド内に含まれている既存バンドに対応している場合には、前記第１無線基地局及び該第２無線基地局は、前記優先度が最も高いバンドとして、該既存バンドを選択し、
前記工程Ａ及び前記工程Ｂにおいて、前記移動局が、前記第２無線基地局配下のセルによってサポートされているバンド内に含まれている既存バンドに対応していない場合には、前記第１無線基地局及び該第２無線基地局は、前記優先度が最も高いバンドとして、該移動局が対応している新規バンドの中で前記リストの最上位に位置する新規バンドを選択することを特徴とする請求項１乃至３のいずれか一項に記載のハンドオーバ方法。
【発明の詳細な説明】
【技術分野】
【０００１】
本発明は、ハンドオーバ方法に関する。
【背景技術】
【０００２】
ＬＴＥ（Ｌｏｎｇ  Ｔｅｒｍ  Ｅｖｏｌｕｔｉｏｎ）のＲｅｌｅａｓｅ-１１方式において、ＭＦＢＩ（Ｍｕｌｔｉｐｌｅ  Ｆｒｅｑｕｅｎｃｙ  Ｂａｎｄ  Ｉｎｄｉｃａｔｏｒ）機能が定義された。
【０００３】
ここで、ＭＦＢＩ機能は、図６に示すように、対象セルによってサポートされている既存バンド（Ｌｅｇａｃｙ  Ｂａｎｄ）及び新規バンド（新しく定義されたバンド）がオーバーラップしている場合に、対象セルにおけるＳＩＢ１（Ｓｙｓｔｅｍ  Ｉｎｆｏｒｍａｔｉｏｎ  Ｂｌｏｃｋ  １）によって、かかる既存バンド及び新規バンドを通知する機能である。
【０００４】
図７（ａ）に示すように、従来の無線基地局ｅＮＢは、配下のセルにおいて、ＳＩＢ１によって、かかるセルによってサポートしている既存バンド（及び、かかる既存バンドの「ＤＬ  ＥＡＲＦＣＮ（Ｄｏｗｎｌｉｎｋ  Ｅ-ＵＴＲＡＮ  Ａｂｓｏｌｕｔｅ  Ｒａｄｉｏ  Ｆｒｅｑｕｅｎｃｙ  Ｃｈａｎｎｅｌ  Ｎｕｍｂｅｒ）」）を通知するように構成されている。
【０００５】
これに対して、図７（ｂ）に示すように、ＭＦＢＩ機能に対応している無線基地局ｅＮＢは、配下のセルにおいて、ＳＩＢ１内の情報要素「ＦｒｅｑＢａｎｄＩｎｄｉｃａｔｏｒ」によって、かかるセルによってサポートしている既存バンド（及び、かかる既存バンドの「ＤＬ  ＥＡＲＦＣＮ」）を通知し、ＳＩＢ１内の情報要素「ＭｕｌｔｉＢａｎｄＬｉｎｆｏ」によって、かかるセルによってサポートしている新規バンド（及び、かかる新規バンドの「ＤＬ  ＥＡＲＦＣＮ」）を通知するように構成されている。
【０００６】
また、ＭＦＢＩ機能に対応している移動局ＵＥは、各セルにおけるＳＩＢ１によって通知された既存バンドに対応している場合には、かかる既存バンドを選択するように構成されている。
【０００７】
一方、ＭＦＢＩ機能に対応している移動局ＵＥは、各セルにおけるＳＩＢ１によって通知された既存バンドに対応していない場合には、自身が対応している新規バンドの中で「ＭｕｌｔｉＢａｎｄＬｉｎｆｏ」の最上位に位置する新規バンドを選択するように構成されている。
【先行技術文献】
【非特許文献】
【０００８】
【非特許文献１】３ＧＰＰ  ＴＳ３６.３３１
【発明の概要】
【発明が解決しようとする課題】
【０００９】
また、図８に示すように、既存のＬＴＥ方式では、移動局ＵＥのハンドオーバ手順において、ハンドオーバ元無線基地局Ｓ-ｅＮＢは、アクティブなＫｅＮＢ（又は、ＮＨ）やハンドオーバ先セルのＰＣＩ（Ｐｈｙｓｉｃａｌ  Ｃｅｌｌ  Ｉｄｅｎｔｉｔｙ）やハンドオーバ先セルの「ＤＬ  ＥＡＲＦＣＮ」に基づいて、ＫｅＮＢ＊を生成して、ハンドオーバ先無線基地局Ｔ-ｅＮＢに対して、かかるＫｅＮＢ＊を含む「ＨＯ  Ｒｅｑｕｅｓｔ」を送信するように構成されている。
【００１０】
また、図８に示すように、既存のＬＴＥ方式では、ハンドオーバ先無線基地局Ｔ-ｅＮＢは、ハンドオーバ先セルの「ＤＬ  ＥＡＲＦＣＮ」、すなわち、ハンドオーバ元無線基地局Ｓ-ｅＮＢがＫｅＮＢ＊の生成に用いた「ＤＬ  ＥＡＲＦＣＮ」を含む「Ｈａｎｄｏｖｅｒ  Ｃｏｍｍａｎｄ」を、ハンドオーバ元無線基地局Ｓ-ｅＮＢを介して移動局ＵＥに通知するように構成されている。
【００１１】
しかしながら、ＭＦＢＩ機能に対応しているネットワークでは、図８に示すように、ハンドオーバ先セルによってサポートされているバンド（「ＤＬ  ＥＡＲＦＣＮ」）が複数存在する。
【００１２】
したがって、ハンドオーバ先無線基地局Ｔ-ｅＮＢは、複数のバンドの中から、ハンドオーバ元無線基地局Ｓ-ｅＮＢがＫｅＮＢ＊の生成に用いた「ＤＬ  ＥＡＲＦＣＮ」を適切に選択することができないという問題点があった。
【００１３】
その結果、ハンドオーバ先無線基地局Ｔ-ｅＮＢが、ハンドオーバ元無線基地局Ｓ-ｅＮＢがＫｅＮＢ＊の生成に用いた「ＤＬ  ＥＡＲＦＣＮ」とは異なる「ＤＬ  ＥＡＲＦＣＮ」を「Ｈａｎｄｏｖｅｒ  Ｃｏｍｍａｎｄ」に含めた場合、移動局ＵＥとハンドオーバ先無線基地局Ｔ-ｅＮＢとの間でＫｅＮＢを計算する際にミスマッチが発生してしまうという問題点があった。
【００１４】
そこで、本発明は、上述の課題に鑑みてなされたものであり、ＭＦＢＩ機能に対応しているネットワークにおいて適切にハンドオーバを行うことができるハンドオーバ方法を提供することを目的とする。
【課題を解決するための手段】
【００１５】
本発明の第１の特徴は、移動局が、マルチ周波数バンドインディケータ機能に対応する第１無線基地局配下のセルから、該マルチ周波数バンドインディケータ機能に対応する第２無線基地局配下のセルにハンドオーバするハンドオーバ方法であって、前記第１無線基地局が、前記移動局が前記マルチ周波数バンドインディケータ機能に対応していると判定した場合に、前記第２無線基地局配下のセルによってサポートされているバンドの中から、該移動局がアイドル状態時に選択する優先度が最も高いバンドを選択し、該第２無線基地局に対して、選択した該バンドの下り中心周波数の識別情報を用いて生成した無線基地局鍵を含むハンドオーバ要求信号を送信する工程Ａと、前記第２無線基地局が、前記移動局が前記マルチ周波数バンドインディケータに対応していると判定した場合に、該第２無線基地局配下のセルによってサポートされているバンドの中から、該移動局がアイドル状態時に選択する優先度が最も高いバンドを選択し、前記第１無線基地局に対して、選択した該バンドの下り中心周波数の識別情報を含むハンドオーバ指示信号を含むハンドオーバ要求応答信号を送信する工程Ｂと、前記第１無線基地局が、前記移動局に対して、前記ハンドオーバ指示信号を送信する工程Ｃとを有し、前記マルチ周波数バンドインディケータ機能は、対象セルによってサポートされている既存バンド及び新規バンドがオーバーラップしている場合に、該対象セルにおける報知情報によって該既存バンド及び該新規バンドを通知する機能であることを要旨とする。
【発明の効果】
【００１６】
以上説明したように、本発明によれば、ＭＦＢＩ機能に対応しているネットワークにおいて適切にハンドオーバを行うことができるハンドオーバ方法を提供することができる。
【図面の簡単な説明】
【００１７】
【図１】本発明の第１の実施形態に係る移動通信システムの全体構成を説明するための図である。
【図２】本発明の第１の実施形態に係る無線基地局ｅＮＢ＃Ａの機能ブロック図である。
【図３】本発明の第１の実施形態に係る無線基地局ｅＮＢ＃Ｂの機能ブロック図である。
【図４】本発明の第１の実施形態に係る移動通信システムの動作を説明するためのシーケンス図である。
【図５】本発明の第１の実施形態に係る無線基地局ｅＮＢ＃Ａ/ｅＮＢ＃Ｂの動作を説明するためのフローチャートである。
【図６】従来技術を説明するための図である。
【図７】従来技術を説明するための図である。
【図８】従来技術を説明するための図である。
【発明を実施するための形態】
【００１８】
（本発明の第１の実施形態に係る移動通信システム）
図１乃至図５を参照して、本発明の第１の実施形態に係る移動通信システムについて説明する。
【００１９】
図１に示すように、本実施形態に係る移動通信システムは、無線基地局ｅＮＢ＃Ａと、無線基地局ｅＮＢ＃Ｂとを具備している。ここで、無線基地局ｅＮＢ＃Ａ及び無線基地局＃Ｂは、ＭＦＢＩ機能に対応しているものとする。
【００２０】
なお、本実施形態では、無線基地局ｅＮＢ＃Ａ配下のセルに接続している移動局ＵＥが無線基地局ｅＮＢ＃Ｂ配下のセルにハンドオーバすることを想定して説明を行うこととする。
【００２１】
図２に示すように、本実施形態に係る無線基地局ｅＮＢ＃Ａは、受信部１１と、算出部１２と、送信部１３とを具備している。
【００２２】
受信部１１は、移動局ＵＥや無線基地局ｅＮＢ＃Ｂから各種信号を受信するように構成されており、算出部１２は、上述のハンドオーバが行われる際に、ＫｅＮＢ＊を算出するように構成されており、送信部１３は、移動局ＵＥや無線基地局ｅＮＢ＃Ｂに対して各種信号を送信するように構成されている。
【００２３】
具体的には、算出部１２は、移動局ＵＥがＭＦＢＩ機能に対応していると判定した場合に、無線基地局ｅＮＢ＃Ｂ配下のセル（ハンドオーバ先セル）によってサポートされているバンドの中から、移動局ＵＥが「ＲＲＣ_ＩＤＬＥ状態」時に選択する優先度が最も高いバンドを選択するように構成されている。
【００２４】
ここで、移動局ＵＥが、無線基地局ｅＮＢ＃Ｂ配下のセルによってサポートされているバンド内に含まれている既存バンドに対応している場合には、算出部１２は、上述の優先度が最も高いバンドとして、かかる既存バンドを選択するように構成されている。
【００２５】
一方、移動局ＵＥが、無線基地局ｅＮＢ＃Ｂ配下のセルによってサポートされているバンド内に含まれている既存バンドに対応していない場合には、算出部１２は、上述の優先度が最も高いバンドとして、移動局ＵＥが対応している新規バンドの中で「ＭｕｌｔｉＢａｎｄＬｉｎｆｏ」の最上位に位置する新規バンドを選択するように構成されている。
【００２６】
そして、算出部１２は、アクティブなＫｅＮＢ（又は、ＮＨ）や、無線基地局ｅＮＢ＃Ｂ配下のセル（ハンドオーバ先セル）のＰＣＩや、上述のように選択したバンドの「ＤＬ  ＥＡＲＦＣＮ」を用いて、ＫｅＮＢ＊を生成するように構成されている。
【００２７】
ここで、算出部１２は、受信部１１によって移動局ＵＥから受信された「ＵＥ  Ｃａｐａｂｉｌｉｔｙ（Ｅ-ＵＴＲＡ  Ｃａｐａｂｉｌｉｔｙ）」に基づいて、移動局ＵＥがＭＦＢＩ機能に対応しているか否かについて判定するように構成されていてもよい。
【００２８】
具体的には、算出部１２は、上述の「ＵＥ  Ｃａｐａｂｉｌｉｔｙ（Ｅ-ＵＴＲＡ  Ｃａｐａｂｉｌｉｔｙ）」内の情報要素「ＳｕｐｐｏｒｔｅｄＢａｎｄＬｉｓｔＥ-ＵＴＲＡ」に基づいて、移動局ＵＥがＭＦＢＩ機能に対応しているか否かについて判定するように構成されていてもよい。
【００２９】
また、算出部１２は、上述の「ＵＥ  Ｃａｐａｂｉｌｉｔｙ（Ｅ-ＵＴＲＡ  Ｃａｐａｂｉｌｉｔｙ）」に基づいて、移動局ＵＥが対応しているバンドについて判定するように構成されていてもよい。
【００３０】
送信部１３は、無線基地局ｅＮＢ＃Ａに対して、算出部１２によって算出されたＫｅＮＢ＊を含む「ＨＯ  Ｒｅｑｕｅｓｔ」を送信するように構成されている。
【００３１】
なお、送信部１３は、上述のハンドオーバが行われる際に、無線基地局ｅＮＢ＃Ａに対して、上述の「ＵＥ  Ｃａｐａｂｉｌｉｔｙ（Ｅ-ＵＴＲＡ  Ｃａｐａｂｉｌｉｔｙ）」を通知するように構成されていてもよい。
【００３２】
図３に示すように、本実施形態に係る無線基地局ｅＮＢ＃Ｂは、受信部２１と、選択部２２と、送信部２３とを具備している。
【００３３】
受信部１１は、移動局ＵＥや無線基地局ｅＮＢ＃Ａから各種信号を受信するように構成されており、選択部２２は、上述のハンドオーバが行われる際に、「Ｈａｎｄｏｖｅｒ  Ｃｏｍｍａｎｄ」に含める「ＤＬ  ＥＡＲＦＣＮ」を選択するように構成されており、送信部２３は、移動局ＵＥや無線基地局ｅＮＢ＃Ａに対して各種信号を送信するように構成されている。
【００３４】
具体的には、選択部２２は、移動局ＵＥがＭＦＢＩ機能に対応していると判定した場合に、無線基地局ｅＮＢ＃Ｂ配下のセルによってサポートされているバンドの中から、移動局ＵＥが「ＲＲＣ_ＩＤＬＥ状態」時に選択する優先度が最も高いバンドを選択するように構成されている。
【００３５】
ここで、移動局ＵＥが、無線基地局ｅＮＢ＃Ｂ配下のセルによってサポートされているバンド内に含まれている既存バンドに対応している場合には、選択部２２は、上述の優先度が最も高いバンドとして、かかる既存バンドを選択するように構成されている。
【００３６】
一方、移動局ＵＥが、無線基地局ｅＮＢ＃Ｂ配下のセルによってサポートされているバンド内に含まれている既存バンドに対応していない場合には、選択部２２は、上述の優先度が最も高いバンドとして、移動局ＵＥが対応している新規バンドの中で「ＭｕｌｔｉＢａｎｄＬｉｎｆｏ」の最上位に位置する新規バンドを選択するように構成されている。
【００３７】
また、選択部２２は、受信部２１によって無線基地局ｅＮＢ＃Ａから受信された「ＵＥ  Ｃａｐａｂｉｌｉｔｙ（Ｅ-ＵＴＲＡ  Ｃａｐａｂｉｌｉｔｙ）」に基づいて、移動局ＵＥがＭＦＢＩ機能に対応しているか否かについて判定するように構成されていてもよい。
【００３８】
具体的には、選択部２２は、上述の「ＵＥ  Ｃａｐａｂｉｌｉｔｙ（Ｅ-ＵＴＲＡ  Ｃａｐａｂｉｌｉｔｙ）」内の情報要素「ＳｕｐｐｏｒｔｅｄＢａｎｄＬｉｓｔＥ-ＵＴＲＡ」に基づいて、移動局ＵＥがＭＦＢＩ機能に対応しているか否かについて判定するように構成されていてもよい。
【００３９】
また、選択部２２は、上述の「ＵＥ  Ｃａｐａｂｉｌｉｔｙ（Ｅ-ＵＴＲＡ  Ｃａｐａｂｉｌｉｔｙ）」に基づいて、移動局ＵＥが対応しているバンドについて判定するように構成されていてもよい。
【００４０】
送信部２３は、無線基地局ｅＮＢ＃Ａに対して、選択部２２によって選択されたバンドの「ＤＬ  ＥＡＲＦＣＮ」を含む「Ｈａｎｄｏｖｅｒ  Ｃｏｍｍａｎｄ」を含む「ＨＯ  Ｒｅｑｕｅｓｔ  Ａｃｋ」を送信するように構成されている。
【００４１】
以下、図４及び図５を参照して、本実施形態に係る移動通信システムの動作について説明する。具体的には、本実施形態に係る移動通信システムにおいて、無線基地局ｅＮＢ＃Ａ配下のセルに接続している移動局ＵＥが無線基地局ｅＮＢ＃Ｂ配下のセルにハンドオーバする動作について説明する。
【００４２】
図４に示すように、ステップＳ１０００において、移動局ＵＥは、無線基地局ｅＮＢ＃Ａとの間でＲＲＣコネクションを確立する際に、無線基地局ｅＮＢ＃Ａに対して、上述の「ＵＥ  Ｃａｐａｂｉｌｉｔｙ（Ｅ-ＵＴＲＡ  Ｃａｐａｂｉｌｉｔｙ）」を送信する。
【００４３】
その後、上述のハンドオーバが行われる際に、無線基地局ｅＮＢ＃Ａは、ステップＳ１００１において、無線基地局ｅＮＢ＃Ｂ配下のセル（ハンドオーバ先セル）によってサポートされているバンドの中から、図５に示す手順（すなわち、移動局ＵＥによるバンド選択アルゴリズムと同一の手順）に従って、移動局ＵＥが「ＲＲＣ_ＩＤＬＥ状態」時に選択する優先度が最も高いバンドを選択し、かかるバンドの「ＤＬ  ＥＡＲＦＣＮ」用いて、ＫｅＮＢ＊を生成し、ステップＳ１００２において、無線基地局ｅＮＢ＃Ｂに対して、かかるＫｅＮＢ＊を含む「ＨＯ  Ｒｅｑｕｅｓｔ」を送信する。
【００４４】
無線基地局ｅＮＢ＃Ｂは、ステップＳ１００３において、無線基地局ｅＮＢ＃Ｂ配下のセル（ハンドオーバ先セル）によってサポートされているバンドの中から、図５に示す手順（すなわち、移動局ＵＥによるバンド選択アルゴリズムと同一の手順）に従って、無線基地局ｅＮＢ＃Ｂ配下のセルによってサポートされているバンドの中から、移動局ＵＥが「ＲＲＣ_ＩＤＬＥ状態」時に選択する優先度が最も高いバンドを選択し、ステップＳ１００４において、無線基地局ｅＮＢ＃Ａに対して、選択したバンドの「ＤＬ  ＥＡＲＦＣＮ」を含む「Ｈａｎｄｏｖｅｒ  Ｃｏｍｍａｎｄ」を含む「ＨＯ  Ｒｅｑｕｅｓｔ  Ａｃｋ」を送信する。
【００４５】
ステップＳ１００５において、無線基地局ｅＮＢ＃Ａは、移動局ＵＥに対して、受信した「ＨＯ  Ｒｅｑｕｅｓｔ  Ａｃｋ」に含まれる「Ｈａｎｄｏｖｅｒ  Ｃｏｍｍａｎｄ」を送信する。
【００４６】
ステップＳ１００６において、移動局ＵＥは、受信した「Ｈａｎｄｏｖｅｒ  Ｃｏｍｍａｎｄ」に含まれる「ＤＬ  ＥＡＲＦＣＮ」を用いて、無線基地局ｅＮＢ＃Ｂとの間の通信で用いるＫｅＮＢを生成する。
【００４７】
なお、同様に、無線基地局ｅＮＢ＃Ｂも、「Ｈａｎｄｏｖｅｒ  Ｃｏｍｍａｎｄ」に含めた「ＤＬ  ＥＡＲＦＣＮ」を用いて、移動局ＵＥとの間の通信で用いるＫｅＮＢを生成する。
【００４８】
ここで、図５を参照して、本実施形態に係る移動通信システムにおいて、無線基地局ｅＮＢ＃Ａ及び無線基地局ｅＮＢ＃Ｂが、移動局ＵＥが「ＲＲＣ_ＩＤＬＥ状態」時に選択する優先度が最も高いバンドを選択する動作について説明する。
【００４９】
図５に示すように、無線基地局ｅＮＢ＃Ａ及び無線基地局ｅＮＢ＃Ｂは、ステップＳ１０１において、移動局ＵＥがＭＦＢＩ機能に対応していると判定すると、ステップＳ１０２において、移動局ＵＥが、無線基地局ｅＮＢ＃Ｂ配下のセルによってサポートされているバンド内に含まれている既存バンドに対応しているか否かについて判定する。
【００５０】
「Ｙｅｓ」の場合、ステップＳ１０３において、無線基地局ｅＮＢ＃Ａ及び無線基地局ｅＮＢ＃Ｂは、上述の移動局ＵＥが「ＲＲＣ_ＩＤＬＥ状態」時に選択する優先度が最も高いバンドとして、かかる既存バンドを選択する。
【００５１】
一方、「Ｎｏ」の場合、ステップＳ１０４において、無線基地局ｅＮＢ＃Ａ及び無線基地局ｅＮＢ＃Ｂは、上述の移動局ＵＥが「ＲＲＣ_ＩＤＬＥ状態」時に選択する優先度が最も高いバンドとして、移動局ＵＥが対応している新規バンドの中で「ＭｕｌｔｉＢａｎｄＬｉｎｆｏ」の最上位に位置する新規バンドを選択する。
【００５２】
以上に述べた本実施形態の特徴は、以下のように表現されていてもよい。
【００５３】
本実施形態の第１の特徴は、移動局ＵＥが、ＭＦＢＩ機能（マルチ周波数バンドインディケータ機能）に対応する無線基地局ｅＮＢ＃Ａ（第１無線基地局）配下のセルからＭＦＢＩ機能に対応する無線基地局ｅＮＢ＃Ｂ（第２無線基地局）配下のセルにハンドオーバするハンドオーバ方法であって、無線基地局ｅＮＢ＃Ａが、移動局ＵＥがＭＦＢＩ機能に対応していると判定した場合に、無線基地局ｅＮＢ＃Ｂ配下のセルによってサポートされているバンドの中から、移動局ＵＥが「ＲＲＣ_ＩＤＬＥ状態（アイドル状態）」時に選択する優先度が最も高いバンドを選択し、無線基地局ｅＮＢ＃Ｂに対して、選択したバンドの「ＤＬ  ＥＡＲＦＣＮ（下り中心周波数の識別情報）」を用いて生成したＫｅＮＢ＊（無線基地局鍵）を含む「ＨＯ  Ｒｅｑｕｅｓｔ（ハンドオーバ要求信号）」を送信する工程Ａと、無線基地局ｅＮＢ＃Ｂが、移動局ＵＥがＭＦＢＩ機能に対応していると判定した場合に、無線基地局ｅＮＢ＃Ｂ配下のセルによってサポートされているバンドの中から、移動局ＵＥが「ＲＲＣ_ＩＤＬＥ状態」時に選択する優先度が最も高いバンドを選択し、無線基地局ｅＮＢ＃Ａに対して、選択したバンドの「ＤＬ  ＥＡＲＦＣＮ」を含む「Ｈａｎｄｏｖｅｒ  Ｃｏｍｍａｎｄ（ハンドオーバ指示信号）」を含む「ＨＯ  Ｒｅｑｕｅｓｔ  Ａｃｋ（ハンドオーバ要求応答信号）」を送信する工程Ｂと、無線基地局ｅＮＢ＃Ａが、移動局ＵＥに対して、かかる「Ｈａｎｄｏｖｅｒ  Ｃｏｍｍａｎｄ」を送信する工程Ｃとを有し、ＭＦＢＩ機能は、対象セルによってサポートされている既存バンド及び新規バンドがオーバーラップしている場合に、対象セルにおけるＳＩＢ１（報知情報）によって、かかる既存バンド及び新規バンドを通知する機能であることを要旨とする。
【００５４】
かかる特徴によれば、無線基地局ｅＮＢ＃ＡによるＫｅＮＢ＊の生成に用いる「ＤＬ  ＥＡＲＦＣＮ」に対応するバンド、及び、無線基地局ｅＮＢ＃Ｂによる「Ｈａｎｄｏｖｅｒ  Ｃｏｍｍａｎｄ」に含める「ＤＬ  ＥＡＲＦＣＮ」に対応するバンドを同一の手順によって選択するため、移動局ＵＥとハンドオーバ先無線基地局Ｔ-ｅＮＢとの間のＫｅＮＢを計算する際のミスマッチの発生を回避することができる。
【００５５】
本実施形態の第１の特徴において、無線基地局ｅＮＢ＃Ａは、移動局ＵＥから取得した「ＵＥ  Ｃａｐａｂｉｌｉｔｙ（能力情報）」に基づいて、移動局ＵＥがＭＦＢＩ機能に対応しているか否かについて判定してもよい。
【００５６】
かかる特徴によれば、無線基地局ｅＮＢ＃Ａが、既存の信号を用いて、動局ＵＥがＭＦＢＩ機能に対応しているか否かについて判定することができる。
【００５７】
本実施形態の第１の特徴において、無線基地局ｅＮＢ＃Ｂは、無線基地局ｅＮＢ＃Ａから取得した「ＵＥ  Ｃａｐａｂｉｌｉｔｙ」に基づいて、移動局ＵＥがＭＦＢＩ機能に対応しているか否かについて判定してもよい。
【００５８】
かかる特徴によれば、無線基地局ｅＮＢ＃Ｂが、既存の信号を用いて、動局ＵＥがＭＦＢＩ機能に対応しているか否かについて判定することができる。
【００５９】
本実施形態の第１の特徴において、ＳＩＢ１は、上述の新規バンドを通知する「ＭｕｌｔｉＢａｎｄＬｉｎｆｏ（リスト）」を含んでおり、工程Ａ及び工程Ｂにおいて、移動局ＵＥが、無線基地局ｅＮＢ＃Ｂ配下のセルによってサポートされているバンド内に含まれている既存バンドに対応している場合には、無線基地局ｅＮＢ＃Ａ及び無線基地局ｅＮＢ＃Ｂは、上述の優先度が最も高いバンドとして、かかる既存バンドを選択し、工程Ａ及び工程Ｂにおいて、移動局ＵＥが、無線基地局ｅＮＢ＃Ｂ配下のセルによってサポートされているバンド内に含まれている既存バンドに対応していない場合には、無線基地局ｅＮＢ＃Ａ及び無線基地局ｅＮＢ＃Ｂは、上述の優先度が最も高いバンドとして、移動局ＵＥが対応している新規バンドの中で「ＭｕｌｔｉＢａｎｄＬｉｎｆｏ」の最上位に位置する新規バンドを選択してもよい。
【００６０】
かかる特徴によれば、既存の移動局ＵＥによるバンド選択アルゴリズムを活用して、移動局ＵＥとハンドオーバ先無線基地局Ｔ-ｅＮＢとの間のＫｅＮＢを計算する際のミスマッチの発生を回避することができる。
【００６１】
なお、上述の移動局ＵＥや無線基地局ｅＮＢ＃Ａ/ｅＮＢ＃Ｂの動作は、ハードウェアによって実施されてもよいし、プロセッサによって実行されるソフトウェアモジュールによって実施されてもよいし、両者の組み合わせによって実施されてもよい。
【００６２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ＃Ａ/ｅＮＢ＃Ｂ内に設けられていてもよい。また、かかる記憶媒体及びプロセッサは、ディスクリートコンポーネントとして移動局ＵＥや無線基地局ｅＮＢ＃Ａ/ｅＮＢ＃Ｂ内に設けられていてもよい。
【００６４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６５】
ｅＮＢ＃Ａ/ｅＮＢ＃Ｂ…無線基地局
ＵＥ…移動局
１１、２１…受信部
１２…算出部
１３、２３…送信部
２２…選択部
【図１】
2014220766.tif 000003
【図２】
2014220766.tif 000004
【図３】
2014220766.tif 000005
【図４】
2014220766.tif 000006
【図５】
2014220766.tif 000007
【図６】
2014220766.tif 000008
【図７】
2014220766.tif 000009
【図８】
2014220766.tif 000010